(57)【特許請求の範囲】
【請求項１】
以下の構成を含む電気泳動装置；
試料供給部，検出部及びゲル供給部を有し、複数のキャピラリから構成され、試料供給部では複数のキャピラリの間隔が開いており、検出部では複数のキャピラリの間隔が、前記試料供給部より狭くなっているキャピラリアレイ；
検出部に励起光を照射し、キャピラリ内の蛍光標識試料から発生した蛍光を検出する手段；
キャピラリの両端部に電圧を印加する手段；
キャピラリアレイにおける試料供給部と検出部との間の部分が設置される恒温槽；
検出部とゲル供給部との間の領域であり、かつ、キャピラリ同士が接触又は近接しあう領域において、高分子を介してキャピラリアレイに接する、空気よりも熱伝導率が高い固体。
【請求項２】
請求項１記載の電気泳動装置において、
前記固体が、金属，高分子材料及び無機材料から選ばれた少なくとも一つを含むもの。
【請求項３】
請求項１記載の電気泳動装置において、
前記固体が、金属板であるもの。
【請求項４】
請求項１記載の電気泳動装置において、
前記固体が、キャピラリを挟み込む構造となっているもの。
【請求項５】
請求項１記載の電気泳動装置において、
前記高分子が、ゴムであるもの。
【請求項６】
請求項１記載の電気泳動装置において、
高分子が、熱伝導性ラバーシートであるもの。
【請求項７】
請求項１記載の電気泳動装置において、
高分子が、接着剤であるもの。
【請求項８】
試料供給部，検出部及びゲル供給部を有し、複数のキャピラリから構成され、試料供給部では複数のキャピラリの間隔が開いており、検出部では複数のキャピラリの間隔が狭くなっているキャピラリアレイを準備し、
キャピラリアレイにおける試料供給部と検出部との間の領域を温度調節した気体に晒し、
検出部とゲル供給部との間の領域であり、かつ、キャピラリ同士が接触又は近接しあう領域において、空気よりも熱伝導率が高い固体を高分子を介してキャピラリアレイに接触させながら、キャピラリ内の蛍光標識試料を電気泳動し、
検出部に励起光を照射し、キャピラリ内の蛍光標識試料から発生した蛍光を検出する電
気泳動方法。
【請求項９】
請求項８記載の電気泳動方法において、
前記固体が、金属，高分子材料及び無機材料から選ばれた少なくとも一つを含むもの。
【請求項１０】
請求項８記載の電気泳動方法において、
前記固体が、金属板であるもの。
【請求項１１】
請求項８記載の電気泳動方法において、
前記固体が、キャピラリを挟み込む構造となっているもの。
【請求項１２】
請求項８記載の電気泳動方法において、
前記高分子が、ゴムであるもの。
【請求項１３】
請求項８記載の電気泳動方法において、
前記高分子が、熱伝導性ラバーシートであるもの。
【請求項１４】
請求項８記載の電気泳動方法において、
前記高分子が、接着剤であるもの。
【発明の詳細な説明】
【０００１】
【発明の属する技術分野】
本発明は、複数のキャピラリ内で電気泳動によって蛍光標識されたＤＮＡなどの試料を分離し、塩基配列などを検出，分析する電気泳動装置，電気泳動方法及びキャピラリアレイに関する。
【０００２】
【従来の技術】
ＤＮＡの塩基配列および塩基長の決定等を目的として、キャピラリを用いた電気泳動法が用いられている。複数のキャピラリを用いたマルチキャピラリ電気泳動方法は、すでに広く知られ、多くの特許明細書等に記載されている。
USP5,366,608においてはキャピラリ内の蛍光標識試料からの蛍光検出部のキャピラリ密度を、試料導入部のキャピラリ密度を高くする。USP5,516,409及び
USP5,529,679においては、マルチキャピリをフローセルと組み合わせて、キャピラリから吐出する蛍光標識試料からの蛍光を検出する。USP5,582,705においては，キャピラリアレイの検出部をマウント上に配置して、キャピラリの一部の皮膜を除去してキャピラリアレイに透光部を形成し、その透光部の側方からレーザ光を照射し、蛍光を検出する。USP5,790,727においては、キャピラリアレイの検出部に光ファイバを配置して蛍光を検出する。キャピラリアレイの検出部近傍をＶ溝アッセンブリに密接している。
【０００３】
USP4,985,129においてはコイル状に巻かれた１本のキャピラリをハウジング内に設置すること、キャピラリを取り囲む部屋の中に熱放散メンバーを設けることが記載されている。この公知例においては、マルチキャピラリにおける熱集中の問題が考えられていない。
【０００４】
ガラスキャピラリ中のポリアクリルアミド等のゲルに測定対象であるＤＮＡを含む試料を注入して、キャピラリの両端部に電圧を印加する。試料中のＤＮＡ合成物はキャピラリ内を移動し、分子量の大きさ等によって分離されキャピラリ内にＤＮＡバンドを生じる。各ＤＮＡバンドには蛍光色素が加えられており、レーザ光の照射によって発色し、これを蛍光計測手段で読み取り、ＤＮＡの配列を決定する。ここで、電気泳動におけるＤＮＡの分離能を向上するために、全泳動時間にわたってキャピラリを例えば５０℃という、ある一定温度に保つことが重要である。これは、上記一定温度において、ゲル中でのＤＮＡの移動速度が一定になるためである。
【０００５】
キャピラリ電気泳動装置における、キャピラリの温度制御方式としては、電気泳動装置に設けられた温度制御板にキャピラリを接触させる接触温度調節方式，電気泳動装置に設けられた恒温槽内に温度調節した空気などの気体を循環し、キャピラリを該気体中に設置して、キャピラリの温度を調節する空調方式，電気泳動装置に設けられた水槽内に温度調節した水などの液体を循環し、キャピラリを該液体中に設置して、キャピラリの温度を調節する液体温度調節方式がある。
【０００６】
【発明が解決しようとする課題】
ペルチエ素子などの加熱・冷却装置を設けた温度制御板にキャピラリを直接接触させる接触温度調節方式においては、電気泳動時にキャピラリにおいて発生するジュール熱を効果的にキャピラリから取り除くことができるというメリットがある。しかしながら、温度制御板の微妙な温度変化が直接キャピラリに伝達されてしまうため、温度制御板の温度を極めて正確に一定温度に制御する必要性がある。しかし、温度制御のために電源を頻繁にオン，オフするため、温度の変動は避けられなかった。
【０００７】
液体温度調節方式においては、キャピラリにおいて発生するジュール熱を効果的にキャピラリから取り除くことができるというメリットがある。しかしながら、装置内に液体を循環させる必要があり、装置が複雑かつ高価になる。
【０００８】
気体循環式たとえば空調方式又は空気循環式においては、電気泳動装置の装置構成が単純であるというメリットがある。また、キャピラリと恒温槽内のヒータ部との間に空気が介在するために、ヒータの温度揺らぎがキャピラリに与える影響が緩和されるというメリットがある。しかしながら、キャピラリから空気への熱伝達が小さいため、キャピラリで発生するジュール熱の放散が不十分である。キャピラリからの熱放散が不十分であれば、電気泳動速度に影響があり、分析結果に悪影響を与える。したがって、本発明の目的は、キャピラリ内に発生する熱を効果的に放散又は引き出すことのできる電気泳動方法，電気泳動装置及びキャピラリアレイを提供することである。
【０００９】
【課題を解決するための手段】
本発明は、試料供給部とゲル供給部ならびに両部間に位置する検出部とを有し複数のキャピラリから構成されたキャピラリアレイのキャピラリ内に蛍光標識した試料を供給し、該キャピラリアレイとキャピラリアレイの温度を制御する加熱・冷却手段との間に気体流を形成してキャピラリアレイの温度を制御しながら該試料を電気泳動によりキャピラリ内を移動，分離し、該キャピラリ同士が接触又は近接しあう領域の少なくとも一部において、該複数のキャピラリを固体に接触して、該キャピラリ内に発生する熱を該固体に拡散する電気泳動方法を提供する。キャピラリの温度制御は、キャピラリアレイを加熱・冷却する為のペルチエ素子と、キャピラリアレイに気体循環流を与えるファンなどの気体循環手段を備えている。又、上記キャピラリアレイは、上記加熱・冷却手段に直接接触しない様に恒温槽内に配置される。また、恒温槽内にはファンなどが設けられていて、空気を循環してキャピラリ内に発生するジュール熱を制御する。このような恒温槽においては、一般にペルチエ素子などの加熱・冷却手段は、頻繁なスイッチのオン，オフにより、温度が変動している。したがって、熱源／冷却源にキャピラリアレイが直接接触すると、キャピラリアレイの温度が一定せず、電気泳動による分離能に悪影響を与える。本発明では、キャピラリアレイと、加熱・冷却手段の間に循環気体流を形成することにより、加熱・冷却手段からの加熱・冷却エネルギーを気体流を介してキャピラリアレイに伝達する。また、キャピラリアレイと気体流との熱伝達はきわめて劣るので、キャピラリアレイに気体よりも熱伝導性の良い固体を接触し、キャピラリアレイからの熱放散・冷却を促進することによって、キャピラリアレイの温度を精度よく制御することができる。
【００１０】
キャピラリアレイは試料導入部では間隔が開いており、蛍光検出部では間隔が狭くなっていて、キャピラリ同士が接触するか、ほぼ接触するように配置され、一平面上に並ベられ共通面(coplanar）を形成する。そして、共通面におけるキャピラリの一部の皮膜（ポリイミドなど）が除去されて、外部から照射されるレーザ光がキャピラリ内の蛍光標識試料を照射できるようになっている。共通面の横方向に光透過性の導波部が形成される。この導波部の一方向又は両方向からレーザ光などの光で照射して、キャピラリ内の蛍光標識試料を照射して蛍光を発生させる。したがって、キャピラリの皮膜を除去した部分に、光を照射するオン・カラム照射方式が好ましい。また、本発明は、オンカラム方式に限らず、シースフロー方式，スキャン方式などの他のレーザ照射方式にも適用可能である。この検出部近傍において、該キャピラリの外周を実質的に取り囲むように固体を接触させ、又は必要に応じ光導波路を形成することが望ましい。これにより、キャピラリ内に発生するジュール熱を外部によく引き出すことができる。上記固体は空気よりも熱伝導率の高い物質であることが必要である。また、この固体は熱容量が大きく、キャピラリから熱を該固体に拡散できることが望ましい。固体と加熱・冷却手段との間に気体流を循環させることにより、キャピラリアレイに熱を伝え、又は熱を奪うことができる。
【００１１】
また、上記キャピラリアレイのゲル供給部，検出部及び検出部近傍を上記固体により取り囲むことができる。これによりキャピラリが密集し、熱が集中しやすい部分の熱を外部に効率よく引き出すことができる。固体でキャピラリを取り囲む場合に、電気泳動の分離能が向上する効果の割合は、検出部の片側におけるキャピラリ密集領域，検出部のもう一方の片側のキャピラリ密集領域、その他の領域がおおむね、４０：４０：２０である。前記３つの領域のうち最初の２つの部分の熱を効率よく放散させることが電気泳動の分離能を向上するために効果的である。さらに、上記固体は金属，高分子材料及び無機材料から選ばれた少なくとも１つを含むことが好ましい。これらの材料は単独でも組み合わせても良い。特に高分子材料にその熱伝導性をよくするために、種々の無機充填材を添加するのがよい。たとえばシリカ，アルミナ，チタニアなどの無機粉末，銅粉末などの金属粉末などがある。
【００１２】
更に又、上記固体は該キャピラリの外面に接着剤等の樹脂を施すと、キャピラリ外面と樹脂との間の隙間がなくなり、又はきわめて少なくなり、キャピラリからの熱を効率よく引き出すことができる。この樹脂に熱伝導性の高い無機粉末や金属粉末を添加してもよい。
【００１３】
本発明によれば、加熱手段と気体流によりキャピラリアレイの温度を制御し、該試料を電気泳動によりキャピラリ内を移動させて分離し、気体流に接するキャピラリを該加熱手段から離間させ、該キャピラリと該加熱手段の間に気体流を形成して、キャピラリの温度制御を行うことを特徴とする電気泳動方法が提供される。更に、気体流に接するキャピラリを該加熱・冷却手段から離間させ、かつ該キャピラリを固体と接触させ、該キャピラリと該加熱手段の間に気体流を流して、キャピラリの温度制御を行う電気泳動方法が提供される。
【００１４】
本発明は更に、試料供給部，ゲル供給部及び検出部を有し、複数のキャピラリを有するキャピラリアレイと、該キャピラリアレイと該キャピラリアレイを加熱・冷却する手段の間に気体流を形成する手段と、該キャピラリアレイ内の試料に電圧を印加する手段とを有することを特徴とする電気泳動装置を提供する。また、気体循環式のキャピラリ温度制御手段と、該キャピラリアレイ内の試料に電圧を印加する手段と、該キャピラリ同士が接触又は近接しあう領域において、該キャピラリの外周に接触する固体を有する電気泳動装置を提供する。更に、該ゲル供給部と該検出部ならびにその近傍のキャピラリの外周に接触する固体を有する電気泳動装置を提供する。更に、試料供給部，ゲル供給部及び検出部を有し、複数のキャピラリを有するキャピラリアレイと、気体循環式のキャピラリ温度制御手段と、該キャピラリアレイ内の試料に電圧を印加する手段と、該キャピラリアレイを該温度制御手段の加熱又は冷却手段から離間して支持する手段とを有する電気泳動装置を提供する。また、本発明は該ゲル供給部と該検出部ならびにその近傍のキャピラリの外周に接触する固体を有する電気泳動装置を提供する。
【００１５】
上記装置において、上記固体は空気よりも熱伝導率の高い物質である事が望ましく、該キャピラリの外周を実質的に取り囲むように固体を接触させることが望ましい。また、検出部及び検出部近傍を上記固体により取り囲むように配置することが望ましい。また、上記固体は金属，高分子材料及び無機材料から選ばれた少なくとも１つを含むことが望ましい。更に、上記固体は該キャピラリの外面に施された樹脂であることができる。この樹脂はその樹脂よりも熱伝導率の高い無機粉末又は金属粉末を含むことができる。
【００１６】
本発明は、複数のキャピラリと、該キャピラリの端部に位置する試料供給端と、検出部と、キャピラリ同士が接触又は近接しあう領域の少なくとも一部において、該キャピラリに接触する固体とを有することを特徴とするキャピラリアレイを提供する。更に、複数のキャピラリと、該キャピラリの端部に位置する試料供給端と、検出部と、キャピラリ同士が接触又は近接しあう領域ならびに離間した領域においてキャピラリに接触する固体とを有することを特徴とするキャピラリアレイを提供する。また、本発明は、検出部の近傍のキャピラリの少なくとも１つの部分に接触する固体とを有するキャピラリアレイを提供する。更に又、本発明は、検出部近傍において、該キャピラリに接触する固体とを有することを特徴とするキャピラリアレイを提供する。上記キャピラリにおける固体材料，高分子材料樹脂材料などの説明は上記電気泳動方法や電気泳動装置について説明した事項が適用される。
【００１７】
キャピラリの全長領域のうち、キャピラリ同士が接触し合う領域においては、キャピラリにおいて発生するジュール熱が放散されにくい状況になっている。この領域のキャピラリを固体と接触することにより、キャピラリにおいて発生するジュール熱を効果的に放散することができる。キャピラリに接触する固体は、空気よりも熱伝導率の高い材質であることが望ましい。銅板又はアルミ板などの金属板を用いてもよい。ただし、金属のみでキャピラリを挟み込む場合には、キャピラリと金属板との接触面積が小さくなり、熱伝達が小さくなる場合があるので、これを避けるために、キャピラリと金属板との間に、弾力性が大きく、かつ、熱伝導性が大きいゴムなどの高分子を挿入することによって、キャピラリとの接触面積を大きくすることができる。また、キャピラリと金属板との間に挿入するゴムとしては、特に熱伝導性が大きくなくても、厚さが薄ければかまわない。もちろん、ゴムに熱伝導率の高い充填材粉末を添加することができる。このような高熱伝導性のゴムはすでに市販されている。また、本発明は、キャピラリの全長領域のうち、キャピラリを上記固体によって挟み込まない領域において、キャピラリ同士の接触を防ぐキャピラリ固定手段を有するキャピラリアレイを提供する。キャピラリ同士の接触を防ぐキャピラリ固定手段を設けることにより、気体循環手段においてキャピラリに接触する気体の体積が増大し、キャピラリにおいて発生するジュール熱を有効に放散することができる。
【００１８】
また、本発明は、気体循環式のキャピラリ温度制御手段を有する電気泳動装置を用いて使用されるキャピラリアレイにおいて、キャピラリ間の空間が高分子あるいは金属などの固体によって埋められていることを特徴とするキャピラリアレイを提供する。従来の気体循環式のキャピラリ温度制御手段においては、特にキャピラリが密集している領域においては、キャピラリに接触する気体の体積が小さくなるため、熱の放散が不十分となる。このような領域の気体を排除し、固体で生めることによってジュール熱を有効に放散できるようになる。ジュール熱の媒体としては、熱伝導性の大きい金属などが望ましいが、樹脂等を用いても構わない。キャピラリをモールド樹脂等で固めた構成のものであってもよい。また、キャピラリを樹脂等で埋め、その樹脂に金属板を接触させることにより、熱の放散をより効果的にすることができる。熱媒体として金属を用いる場合には、キャピラリ内部と金属との短絡を防ぐ目的で、金属表面とキャピラリの間に絶縁材料を挿む方がよい。
【００１９】
上記キャピラリアレイは、ペルチエ素子などの加熱・冷却手段を備え、気体循環を行うように空間部を備えた恒温槽内に取り付けられる。空間内には少なくとも１個のファン、好ましくは２個のファンを設置し、キャピラリアレイに気体流を与える。キャピラリアレイは加熱・冷却手段に直接接しないように設置する。加熱・冷却手段又はそれを設置した恒温槽の内壁面から離してキャピラリアレイを設置し、キャピラリアレイと加熱・冷却手段又は上記内壁面との間には気体流を形成する。キャピラリ内に発生したジュール熱を効率よく放出するため、恒温槽内のキャピラリ部分に熱伝導性の良い固体たとえば１mm厚さのアルミ板を接触する。
【００２０】
キャピラリアレイの検出部近傍はキャピラリが集中し、たとえば恒温槽からの出口付近では、キャピラリ同士が接触するかきわめて近接する。このような部分はジュール熱が集中し、電気泳動速度等に影響を与える。そこで、この部分（検出部近傍）においては、熱伝導性の高い高分子や金属などの固体を接触しあるいは固体でキャピラリアレイを取り囲むように接触して、熱放散を促進する。
【００２１】
本発明は、気体循環式のキャピラリ温度制御手段を有する電気泳動装置および前記電気泳動装置を用いて使用されるキャピラリアレイにおいて、キャピラリで発生するジュール熱が、直接気体に伝達されるのではなく、キャピラリで発生するジュール熱がキャピラリの表面積よりも大きな表面積を有する固体に熱伝導し、前記固体から気体に熱が伝達される構成を有する電気泳動装置およびキャピラリアレイを提供する。キャピラリから発生する熱をいったん表面積の大きな媒体に熱伝導し、空気との接触面積が大きい上記媒体から空気に熱を放散する構造をとることにより、キャピラリから空気への熱伝達を著しく大きくすることができる。その意味で、本発明は、空調−接触−併用方式ということができる。
【００２２】
キャピラリに接触させる熱媒体手段は、装置側に付属するものであってもよいし、装置外でキャピラリに取り付け、キャピラリ−熱媒体手段の組合せを形成し、この組合せを装置に取り付けてもよい。また、熱媒体手段はキャピラリに接着剤等で接着されているような、キャピラリアレイの一部分であってもかまわない。キャピラリにおいて、上記熱媒体と接触させる領域は、キャピラリ全体であってもよいし、また、キャピラリの一部分であってもかまわない。特に、キャピラリが密集し、キャピラリ同士が接触し合う検出部付近やキャピラリアレイ端においては単位体積当りの熱発生量が多いため、この領域に熱媒体を取り付けることは効果的である。
【００２３】
キャピラリにおいて、蛍光検出部と試料導入端の間の領域以外においては、必ずしもＤＮＡのゲル内移動速度を一定に保つ必要はないため、キャピラリを例えば５０℃などという高温に保つ必要はない。しかしながら、このような領域においても、ジュール熱の放散が不十分である場合には、泳動の分離能が劣化することがある。したがって、蛍光検出部と試料導入端の間の領域以外においても、キャピラリを熱媒体に接触させることによって分離能を向上させることができる。ただし、この場合においては、前記熱媒体を５０℃などの高温に保つ必要はなく、ただ単に、キャピラリを熱媒体に接触させるだけでよい。
【００２４】
また、蛍光検出部と試料導入端の間の領域内であっても、熱媒体を接触させるのが全キャピラリ長に比べて小さな領域であるならば、熱媒体をキャピラリに接触させるだけでよく、この熱媒体を循環気体によって温度調整する必要はない。したがって、蛍光検出部から、試料導入端（負電極端）に向けてキャピラリが密集している領域に、熱媒体を接触させるだけでもかまわない。この熱媒体を循環気体によって温度調節する必要はない。循環気体によって温度調節しない熱媒体（あるいは熱浴）の条件としては、熱伝導率が大きく、体積が大きく、かつ、熱容量が大きいものが望ましい。
【００２５】
【発明の実施の形態】
［実施例１］
本発明が適用される気体循環式のキャピラリ温度制御手段を有する電気泳動装置を図２に示す。キャピラリアレイ１の一方の端には、負電圧を印加できるように電極（試料導入端）２が形成されている。ＤＮＡを注入する際には、負電極２をＤＮＡサンプルを含む溶液に、また、注入したサンプルの電気泳動を行う際には、負電極をバッファ液３に浸して、電圧を印加する。
【００２６】
キャピラリアレイ１のもう一方の端には、泳動媒体であるゲルをキャピラリに注入する手段であるゲルブロック４への接続部５が形成されている。キャピラリ内部の泳動媒体であるゲルをキャピラリ内に充填する際には、バルブ６を閉じ、シリンジ１０を押し込むことによって、シリンジ１０内のゲルをキャピラリ１内に注入する。電気泳動をする際には、バルブ６を開放し、バッファ３に浸った負電極２とバッファ１２に浸ったアース電極７との間に電圧を印加する。
【００２７】
キャピラリアレイにおける蛍光検出部８にレーザ光９を照射し、検出部８から発せられる蛍光を観測することにより、ＤＮＡを検出する。キャピラリはポリマ薄膜で覆われているが、検出部においては、ポリマ被膜が除去され、石英がむき出しの状態になっている。図３に検出部付近の正面図(図３ａ)と上面図(図３ｂ)を示す。キャピラリアレイ１の検出部はアレイ台１５上に形成されている。このアレイ台１５は、アレイホルダ１３とホルダふた１６によって電気泳動装置に固定される。蛍光検出窓１７から蛍光が検出される。
【００２８】
検出部と恒温槽の壁１４は接している。また、ゲルブロックへの接続端５は、止め具１４によって、ゲルブロックに固定されている。泳動の際には、気体循環式の恒温槽１１によって、キャピラリ１を一定温度に保っている。恒温槽１１内の空気はファン３８，３９によって循環され、キャピラリアレイの熱を放散させる。
【００２９】
ここでは、いわゆるサイズマーカーと呼ばれる、塩基長が既知のＤＮＡサンプルを測定対象とした。恒温槽内の温度を６０℃，検出部と試料導入端の間の長さを３６cm、キャピラリに印加する電圧を、１cmあたり３１９Ｖとした。電気泳動装置のＤＮＡ分離能を示す標識の一つにクロスオーバーポイント（ＣＯＰ）がある。これは、検出部における１塩基相当の分離長と、１塩基のＤＮＡバンドの半値全幅が等しくなる塩基長を意味し、値が大きいほど電気泳動の分離能が大きいことを表す。
【００３０】
本発明の実施例１の電気泳動装置（検出器周辺部分のみ表示）およびキャピラリアレイを図１ａ（正面図），１ｂ（上面図）に示す。ゲルブロック接続端と検出部の間の領域、および、検出部から恒温槽の壁にかけての５cm領域においては、キャピラリが互いに接しあう密集状態になっている。この領域において、無機粉末を充填した熱伝導性ラバーシート１８を介してアルミ製のアレイホルダ１３とホルダふた１６によってキャピラリを挟み込む構造をとっている。
【００３１】
このような構造の電気泳動装置およびキャピラリアレイを使用した場合のCOPは、３３０塩基であった。本発明により、ラバーシート及びアルミ製キャピラリホルダを使用しないときのＣＯＰに比べ、約８０塩基の分離能向上を達成することができた。
【００３２】
本実施例においては、蛍光検出部と負電極端（試料導入端）の間の領域内において、ただ単に熱媒体をキャピラリに接触させているだけであって、キャピラリの温度制御を行っていない。蛍光検出部と試料導入端の間の領域内において、温度調節しない熱媒体に対してキャピラリを接触させる長さ（５cm）の、蛍光検出部−試料導入端間の長さ（３６cm）に対する割合が小さいので、蛍光検出部と試料導入端の間の領域において温度調節しない熱媒体をキャピラリに接触させても、電気泳動の分離能に与える影響が無視できる程度に小さいと推測される。
［実施例２］
実施例２の該略図を図４ａ，図４ｂ，図４ｃに示す。実施例１と同様の構成において、恒温槽内でキャピラリ２１同士が互いに接触することを避けるため、キャピラリアレイ１がキャピラリ保持手段２２をもち、また、恒温槽１内の壁２４には、この保持手段２２を固定する設置手段２０を設けた。この保持手段２２を図４ａに示すように、恒温槽内に３個所設けた。図４ｂに示すように、このキャピラリアレイ保持手段２２および設置手段２０により、キャピラリ同士が接触すること、および、キャピラリと恒温槽の内壁が接触することを防ぐことができる。図４ｃは、恒温槽の壁，保持手段，設置手段の詳細図である。以上の方法により、気体循環型の恒温槽において、キャピラリに接触する気体の体積が増大し、キャピラリにおいて発生するジュール熱を有効に放散することができる。
【００３３】
このような構造の電気泳動装置およびキャピラリアレイを使用した場合のCOPは、３４０塩基であった。本実施例により、キャピラリアレイに複数の保持手段２２と複数個保持手段を設けた場合には、設けない場合に比べ、約９０塩基の分離能向上を達成することができた。
［実施例３］
実施例３のキャピラリアレイの該略図を図５ａ（正面図），図５ｂ（ａにおける破線部での断面図）に示す。キャピラリアレイ１がアルミ板３１にエポキシ系の接着剤３４によって固定されている。なお、キャピラリ内部とアルミ板３１表面との間の絶縁を確保するために、アルミ板上には厚さ２５μｍのポリイミドシート３３が接着されている。このゼツエンシート３３は、接着剤自身が必要な耐圧を持っていれば、不要である。
【００３４】
検出部８とゲルブロック接続端５の間の領域についても、キャピラリをエポキシ系接着剤を用いてアルミ板３１上に固定した。このアルミ板付きキャピラリアレイを固定具３２によって、ペルチエ素子３０などの加熱・冷却装置３０及びファン３８，３９を備えた恒温槽１１の空間ａ内に固定した。このキャピラリアレイを用いて、比較例１と同様の測定を行った結果、ＣＯＰ値は３６０塩基であった。本実施例により、キャピラリ全体及びゲル供給部５近傍の熱放散性対策をしない場合に比べて、１００塩基以上の分離能の向上を達成することができた。
［実施例４］
実施例４のキャピラリアレイを図６に示す。実施例３と異なる点は、アルミ板をキャピラリ全体ではなく、検出部８近傍及び負電極側（試料導入側）に向けてキャピラリが密集状態になっている長さ５cmの領域にアルミ板Ａ４０をエポキシ系接着剤によって固定し、検出部８からゲルブロック接続端５の領域のキャピラリにおいて、アルミ板Ｂ４１をエポキシ系接着剤によって固定したことである。アルミ板Ａ４０およびアルミ板Ｂ４１の両方を取り付けた場合のＣＯＰ値は340塩基であった。本実施例により、キャピラリアレイの放熱対策をしない場合に比べて、約９０塩基の分離能の向上を達成することができた。
【００３５】
また、アルミ板Ｂ４１のみを取り付けた場合には、ＣＯＰ値は３００塩基であった。この場合は、放熱対策をしない場合に比べて、約５０塩基の分離能の向上を達成することができた。
［実施例５］
実施例５の電気泳動装置（恒温槽部分１１のみ表示）およびキャピラリアレイを図７ａ（正面図），図７ｂ（断面図）に示す。キャピラリアレイ１を接着剤等によってアルミ板５０に取り付けるのではなく、キャピラリを熱伝導性ラバーシート５３を介してふたアルミ板５１によってネジ５２を用いて挟み込む構造になっている。熱伝導ラバーシートおよびアルミ板は電気泳動装置の一部分である。このような構造の電気泳動装置およびキャピラリアレイを使用した場合のＣＯＰは、３４０塩基であった。本実施例により、キャピラリアレイの熱放散対策をしない場合に比べて、約１００塩基の分離能向上を達成することができた。
【００３６】
【発明の効果】
本発明によれば、キャピラリで発生した熱が効率よく除去できるので、キャピラリ間の検出誤差が小さくなり、電気泳動効率が向上する。
【図面の簡単な説明】
【図１】本発明の実施例１の電気泳動装置の検出器周辺部分およびキャピラリアレイの検出部周辺の正面図（ａ），上面図（ｂ）。
【図２】本発明が適用される気体循環式のキャピラリ温度制御手段を有する電気泳動装置の概観図。
【図３】図２の検出部付近の正面図（ａ）と上面図（ｂ）。
【図４】本発明による実施例２の電気泳動装置の恒温槽部分（ａ），キャピラリ保持手段（ｂ），キャピラリ保持手段と設置手段（ｃ）。
【図５】本発明による実施例３のキャピラリアレイの該略図の正面図（ａ）、ａにおける破線部での断面図（ｂ）。
【図６】本発明による実施例４のキャピラリアレイの該略図。
【図７】本発明による実施例５の電気泳動装置の恒温槽部分およびキャピラリアレイの正面図（ａ），断面図（ｂ）。
【符号の説明】
１…キャピラリアレイ、２…負電極、３…負電極側のバッファ液、４…ゲルブロック、５…ゲルブロックへの接続部、６…バルブ、７…アース電極、８…蛍光検出部、９…レーザ光、１０…シリンジ、１２…アース電極側のバッファ、１３…アレイホルダ、１４…恒温槽の壁、１５…アレイ台、１６…ホルダふた、１７…蛍光検出窓、１８…熱伝導性ラバーシート、１９…ゲルブロック止め具、２０…キャピラリ保持手段の設置手段、２１…キャピラリ、２２…キャピラリ保持手段、２４…恒温槽内壁、３０…ペルチエ素子、３１…アルミ板、３２…アルミ板固定具、３３…厚さ２５μｍのポリイミドシート、３４…エポキシ系の接着剤、３８，３９…ファン、４０…アルミ板Ａ、４１…アルミ板Ｂ、５０…アルミ板、５１…ふたアルミ板、５２…アルミ板固定ネジ、５３…熱伝導性ラバーシート。
【図１】
0003882484.tif 000002
【図２】
0003882484.tif 000003
【図３】
0003882484.tif 000004
【図４】
0003882484.tif 000005
【図５】
0003882484.tif 000006
【図６】
0003882484.tif 000007
【図７】
0003882484.tif 000008